(57)【要約】ブリスターパックは半透明なプラスチック材料であり、包装すべき物品を受容および包含するための凹形表部分（２１）と、パックを閉塞するために表部分の凹部（２３）に対して挿入を行うための解放部を有する裏部分（２２）とを備え、表部分（２１）は、内側に突出するリッジ（２９）を備えた台輪（２４）を有し、裏部分（２２）は、リッジ２９と中間で係合し外側に突出するリップ（３０）を有する台輪（２７）を形成し、表部分（２１）の台輪（２４）内で包括的に横たわることにより、ほぼ入手不可能となっているので、時期尚早にパックが開放されるのを防ぐ。表部分（２１）は、溶接された外観を与える形状をとる周辺フランジ（２５）を有することにより、時期尚早にパックを開放しようとする試みを抑止する。【選択図】図２
2004536749.tif 000002
【特許請求の範囲】
【請求項１】
包装すべき物品を受容および包含するための凹部を有する表部分と、パックを閉塞するために前記表部分の前記凹部に挿入するのに適した解放部を有する裏部分と、前記パックを閉塞状態に維持するために前記表部分と前記裏部分それぞれに相互作用位置決め手段とを備えるブリスターパックであって、前記位置決め手段は、前記表部分の前記凹部の内側壁面上にアバットメントと、前記裏部分の前記解放部の外側壁面上に相互作用アバットメントとを備え、前記内側および前記外側壁アバットメントは、前記裏部分が前記表部分の前記凹部内で包括的に収納される時のみ前記パックを閉塞するために中間で係合されるように位置決めされることを特徴とするブリスターパック。
【請求項２】
前記表部分は、前記凹部のリムの周囲に延在するフランジを有する請求項１に記載のブリスターパック。
【請求項３】
前記フランジは、表示用フック上に前記ブリスターパックを吊るすための穴を含む請求項２に記載のブリスターパック。
【請求項４】
前記フランジは、溶接された外観を備えるための外面構造を含む請求項２または３に記載のブリスターパック。
【請求項５】
前記表部分の前記アバットメントは、前記凹部の前記壁面から内側に突出する連続したリッジを備える先行する請求項の何れかに記載のブリスターパック。
【請求項６】
前記裏部分の前記アバットメントは、前記解放部から外側に突出する連続した狭いフランジを備える先行する請求項の何れかに記載のブリスターパック。
【請求項７】
前記パックの前記表部分と前記裏部分は、一体的なヒンジ部により共に接続され、前記パックの全体は、半透明なプラスチック材料の単一シートを変形することにより形成される先行する請求項の何れかに記載のブリスターパック。
【請求項８】
前記表部分は、その内面と外面上に、低減された透明度で前記表部分を半透明にする表面テクスチャを有する先行する請求項の何れかに記載のブリスターパック。
【請求項９】
前記表部分は、台輪の周囲に延在する外側フランジを有する前記台輪を形成する階段状凹部を有する請求項１に記載のブリスターパック。
【請求項１０】
前記表部分と前記裏部分の前記各アバットメントは、前記パックが閉塞される時にスナップアクションにより中間で係合する先行する請求項の何れかに記載のブリスターパック。
【請求項１１】
前記表部分の前記凹部における前記内側壁面上の前記アバットメントは、前記裏部分の前記解放部の前記アバットメントがその前記外側壁面から延在するよりも、前記壁面から延在する請求項５または６に記載のブリスターパック。
【発明の詳細な説明】
【技術分野】
【０００１】
本発明は、一般に透明または半透明なプラスチック材料で製造され、そのような材料の単一シートから真空が形成される包装商品であり、包装および表示すべき物品を受容および包含するよう一般に凹部が施されている表部分と、閉塞として作用する裏部分とを備えるブリスターパックに関する。一般に、２つの部分は、表部分と裏部分に対し一体でありかつ包装すべき物品の挿入後にそれらの部分を閉塞可能とするヒンジ部により、共に接続される。
【背景技術】
【０００２】
ブリスターパックは主に２種類に分かれ、１つは、複数の部分を開放可能として包装を解放するために溶接線内で切断することが必要なので、表部分と裏部分が共に熱的に溶接されている。一般に、この種類のパックは、購入後まで物品をパックから取り出すことを意図としない場合に使用されるが、製造および包装でかなり費用がかかり、パックの製造中に内容物が挿入されなければならず、さらにパックを破壊することなく適切に内容物を検査することができない点で、しばしば不都合であると考えられる。
【０００３】
ブリスターパックのもう一つの種類は、一般に、表部分と裏部分との間の相互作用爪手段により提供される摩擦またはスナップ固定で表部分と裏部分が開閉されるものである。この種類は、製造にあまり費用がかからず、パックを破壊することなく内容物の挿入および取り出し（および再挿入）ができる点で、好都合である。
【０００４】
ほとんどのブリスターパックは、他の同様なパックに沿ってパックを表示用フック上に吊るための穴をパックの一端に有する外側フランジを少なくとも一つの部分上に有する。一般に、非溶接タイプのパックの場合、表部分と裏部分は、パックが閉塞される時に重ね合わされる関係で横たわるようなフランジを有し、パックの開放を可能とするためにフランジ間で指または道具の挿入を可能としている。
【発明の開示】
【発明が解決しようとする課題】
【０００５】
そのようなパックの使用者の多くは、包装された物品へ手を付けたり時期尚早な取出しが防がれることを望んでいるが、そのような包装にかかる更なるコストは、しばしば保護の強化による利点よりも重要である。
【０００６】
本発明の目的は、非溶接パックのコスト上の利点を有する一方、従来の非溶接パックよりも開放するのが困難で、さらに、溶接パックの外観を与えることにより、包含された物品または複数の物品の購入に先立ち、それが解放される可能性を明らかに低減するブリスターパックを提供することである。
【課題を解決するための手段】
【０００７】
本発明によると、包装すべき物品を受容および包含するための凹部を有する表部分と、パックを閉塞するために前記表部分の前記凹部に挿入するのに適した解放部を有する裏部分と、前記パックを閉塞状態に維持するために前記表部分と前記裏部分それぞれに相互作用位置決め手段とを備えるブリスターパックであって、前記位置決め手段は、前記表部分の前記凹部の内側壁面上にアバットメントと、前記裏部分の前記解放部の外側壁面上に相互作用アバットメントとを備え、前記内側および前記外側壁アバットメントは、前記裏部分が前記表部分の前記凹部内で包括的に収納される時のみ前記パックを閉塞するために中間で係合されるように位置決めされることを特徴とするブリスターパックが提供される。
【０００８】
前記表部分は、前記凹部のリムの周囲に延在するフランジを有してもよい。
【０００９】
前記フランジは、表示用フック上に前記ブリスターパックを吊るすための穴を含んでもよい。
【００１０】
前記フランジは、溶接された外観を備えるための外面構造を含んでもよい。
【００１１】
前記表部分の前記アバットメントは、前記凹部の前記壁面から内側に突出する連続したリッジを備えてもよい。
【００１２】
前記裏部分の前記アバットメントは、前記解放部から外側に突出する連続した狭いフランジを備えてもよい。
【００１３】
前記パックの前記表部分と前記裏部分は、一体的なヒンジ部分により共に接続され、前記パックの全体は、半透明なプラスチック材料の単一シートを変形することにより形成されてもよい。
【００１４】
前記表部分は、その内面と外面上に、低減された透明度で前記表部分を半透明にする表面テクスチャを有してもよい。
【発明を実施するための最良の形態】
【００１５】
以下、添付図面を参照しながら、本発明の実施形態の一例を説明する。
【００１６】
図１を参照すると、従来のブリスターパックは、プラスチック材料の単一シートから形成されるそれぞれ真空の表部分１０と裏部分１１を有し、一般に透明または少なくとも半透明であり、そして一体的なヒンジ部分１２により共に接続される。
【００１７】
表部分１０は、包装すべき物品を受容するため１３において凹部を備え、凹部１３の周囲で台輪１５を形成する階段状凹部１４と、一般に表示用フック等の上にパックを吊るすための穴（図示せず）を含む外面フランジ１６とを有する。
【００１８】
さらに、裏部分１１は、パックが閉塞される時に凹形表部分の外側台輪１５内で正確に嵌る内側台輪１８を形成する浅い凹部１７を有する。スナップアクションで開閉可能なパックの閉塞状態を維持するために、表部分１０と裏部分１１との間で相互作用する一つ以上の爪手段１９が備えられる。
【００１９】
さらに、裏部分１１は、パックが閉塞される時にフランジ１６と重ね合う関係で横たわるフランジ２０を有し、パックを開放するために２つのフランジ間で入手可能となっている。
【００２０】
ここで図２を参照すると、本発明に従って作成されたブリスターパックは、表部分２１と裏部分２２をそれぞれ含み、表部分は、包装すべき物品を包含するために凹部２３を有する。従来のパックの場合のように、表部分は、台輪２４を形成する階段状凹部と、台輪２４の周囲に延在する外側フランジ２５とを有する。ＥＵＲＯＳＬＯＴとして知られている穴２６（図３）は、パックの一端に備えられ、表示フック上にそれを吊るすことができる。
【００２１】
裏部分２２は、解放台輪２７と、表部分２１および裏部分２２を共に接続する一体的なヒンジ部２８とを有する。
【００２２】
この場合、本発明によると、表部分２１上の台輪２４は、台輪２４内で凹部の最後部の周囲に延在するリッジ２９の形状をとる内側に突出したアバットメントを含み、パックを閉塞するための位置決め手段の一部を形成する。
【００２３】
また、図２から分かるように、裏部分２２の解放台輪２７は、その最も外側において、裏部分２２が表部分２１内全体に包含されるように、パックの閉塞時に表部分のリッジ２９によりスナップアクションを形成し後方より前方に包含される狭いフランジ、即ちリップ３０を有する。よって、リム３０をリッジ２９から強制的に外側へ出せるように表部分を酷く変形させることなく、パックを開放するのはかなり困難である。つまり、図１に示された従来のパックの裏部分１１の入手可能なフランジ２０とは違い、パックの裏部分２２においてパックの外側から入手可能な箇所がない。
【００２４】
ゆえに、本発明に従って作成されたパックは、閉塞が容易な一方、開放するのが困難となっており、さらに、これは２つの部分を共に溶接することなく実現されるので、パックへの充填がパックの当業者だけではなく消費者によりなされてもよい。
【００２５】
図３によると、そのようなパックが開放状態で示されており、表部分２１のフランジ２５の周囲において、形状即ち突出リッジ３１の形状をとる”見せかけの溶接”があるので、そのようなパックを購入前に開放しようとする試みを思い止まらせるよう呈する溶接パックの外観を与える。
【００２６】
必要に応じて、表部分２１は、その形状において、外側および／または内側表面テクスチャが与えられてもよいので、その透明度が低減されかつ艶消し仕上げが施される。
【００２７】
一般に、本発明に従って作成されたパックは、リッジ２９が台輪に対し約２ｍｍ延在している深さ約８ｍｍの台輪２４を有し、裏部分の台輪２７は、リップ３０がそこからその全周囲で略１ｍｍ外側へ延在する一方で、深さ約６ｍｍであってもよい。ヒンジ部分２８は、裏部分２２を全体的に表部分２１へ挿入するのに十分な柔軟性があるので、閉塞方法を見破ることが困難な信頼できるパックを実現できる。
【００２８】
パックの部分２１と２２は、部分２２がパックの表となり包装された物品または複数の物品を表示できるよう、役割に応じて入れ替えてもよい。
【図面の簡単な説明】
【００２９】
【図１】本発明に関する従来のブリスターパックの垂直断面図である。
【図２】本発明に従って作成されたブリスターパックの同様の図である。
【図３】開放状態における図２のパックの透視図である。
【図１】
2004536749.tif 000003
【国際公開パンフレット】
2004536749.tif 000004
2004536749.tif 000005
2004536749.tif 000006
2004536749.tif 000007
2004536749.tif 000008
2004536749.tif 000009
2004536749.tif 000010
2004536749.tif 000011
2004536749.tif 000012
2004536749.tif 000013
2004536749.tif 000014
2004536749.tif 000015
2004536749.tif 000016
2004536749.tif 000017
2004536749.tif 000018
【国際調査報告】
2004536749.tif 000019
2004536749.tif 000020